(57)【要約】【課題】、従来のものは、バグハウジングの正面入口から導入した含塵気流をバッフルプレート（衝突板）に当て、衝突拡散して流入気流の勢いを落として比較的大きな粗粒子はそのバッフルプレートの下側に配置したホッパーへ、そして塵・微粉（以下ダストという）を含んだ大半の空気を減速・上昇気流とし、ろ過室の上部よりダウンフローとしていた。そのため、均一な上昇気流とはなりがたく、バグフィルタ全体への均等な導入が難しい欠点があった。【解決手段】本発明は、バグハウジングの正面に設けた吸気口から導入する含塵気流を上昇気流と下降気流とに分配する分配比率を決める上下分配ラインを導入室の流入通路に設け、この上下分配ラインに上下分配板を配置するとともに上昇気流を導入室内でほぼ均等分配する上昇気流整流板とホッパーへの下降気流分配板とを設けることを特徴とする。【選択図】図１ 
2005169173.tif 000002
【特許請求の範囲】
【請求項１】
バグハウジングの正面に設けられた吸気口から含塵気流を導入するバグフィルタ装置において、吸気口２に上昇気流と下降気流に分配する比率に応じて上下分配ライン１４を設定し、この上下分配ライン１４を基準として気流の上下分配板１５，１５を配置し、導入室５内で衝突拡散させ運動エネルギーを失った上昇気流をろ過室４に上昇回流することを特徴とするバグフィルタ装置。
【請求項２】
上昇気流用に前記分配板１５，１５の上側に上昇気流用の分配板１７，１８、を併設したことを特徴とする請求項１のバグフィルタ装置。
【請求項３】
下降気流用に前記分配板１５，１５の下側に下降気流用の分配板１９を併設したことを特徴とする請求項１また２のバグフィルタ装置。
【請求項４】
導入室５に設けられた前記分配板を全部または部分的に案内板で結合し吸気口をマルチインレットとしたことを特徴とする請求項１から３のバグフィルタ装置。
【請求項５】
前記導入室５に垂直上方に伸びる整流板２０を配置し、上昇気流をこの整流板２０に沿って上昇させ、ろ過室４に上昇回流する上昇気流の流れをほぼ均一な上昇気流としてろ過室４のダウンフローを形成させたことを特徴とする請求項１から請求項４のバグフィルタ装置。
【請求項６】
前記導入室５に垂直上方に伸びる整流板２０を配置し、上昇気流をこの整流板２０に沿って上昇させ、かつ整流板の上端の位置をそろえて配置し、ろ過室４に上昇回流する上昇気流の流れをほぼ均一な上昇気流としてろ過室４のダウンフローを形成させたことを特徴とする請求項１から請求項５のバグフィルタ装置。
【請求項７】
導入室５の上部に前記分配板を介して分配され上昇している気流を更に拡散させる拡散板を配置し拡散気流をろ過室４に回流させたことを特徴とする請求項１から６のバグフィルタ装置。
【請求項８】
吸気口２をハウジング１の正面中央からずらせて配置し含塵気流３を流入させることを特徴とする請求項１から７のフィルタバグ装置。
【請求項９】
ハウジング１の正面に吸気口２を複数設けたことを特徴とする請求項１から８のフィルタバグ装置。
【発明の詳細な説明】
【技術分野】
【０００１】
本発明は、含塵気流からダスト(塵・粉体)をろ過・回収するバグフィルタ装置に関する。
【背景技術】
【０００２】
従来のものは、実公平２−４３４６０号公報に示されるように、バグハウジングの正面入口から導入した含塵気流をバッフルプレート（衝突板）に当て、比較的大きな粗粒子は下降気流とともにそのバッフルプレートの下側に配置したホッパー入口を蔽っている回収板の透孔を通り抜けホッパーへ、そして塵・微粉（以下ダストという）を含んだ大半の空気を減速・上昇気流とし、ろ過室の上部よりダウンフローとしてフィルタバグが多数配置されたろ過室内に導入するようにしていた。フィルタバグの表面に捕集されたダストは圧縮空気の逆洗により払い落とされ、ダウンフローに乗ってホッパーに落下回収していた。
【０００３】
しかしながら、従来のものは、上記のように単に吸気口からバッフルプレートの正面中央付近に含塵気流を導入していため、衝突拡散して流入気流の勢いを落としているが、均一な上昇気流とはなりがたく、バグフィルタ全体への均等な導入が難しい欠点があった。そしてまた上下流の分配はハウジングの下部開口を狭める程度で行っていたため、任意の分配には無理があった。たとえば、含塵気流を均一に流入させようとして分配管で３つ入口を設ける構成としたため設備が高価につく欠点があった。また下部開口を狭めるとそこにダストがブリッジしトラブルを起こす場合があった。
【特許文献１】実公平２−４３４６０号公報
【発明の開示】
【発明が解決しようとする課題】
【０００４】
解決しようとする課題は、これら欠点に鑑み、ダストの回収効率を向上し、その性能を著しく向上したバグフィルタ装置を提供することにある。
【課題を解決するための手段】
【０００５】
本発明は、バグハウジングの正面に設けた吸気口から導入する含塵気流を上昇気流と下降気流とに分配する分配比率を決める上下分配ラインを導入室の流入通路に設け、この上下分配ラインに上下分配板を配置するとともに上昇気流を導入室内でほぼ均等分配する上昇気流整流板とホッパーへの下降気流分配板とを設けることを特徴とする。
【発明の効果】
【０００６】
上述したように、本発明によれば、上記の構成により、ろ過室に上昇回流しダウンフローとなる含塵気流を自在に積極的にコントロールできる。
【０００７】
また複数の上昇気流分配板を適宜に流れに沿って分割配置することによって含塵気流を緩やかなほぼ均一な上昇気流およびまたは下降気流に変え、導入室の開口部を超えてろ過室に上昇回流させフィルタバグ列の周囲をダウンフローとさせている。また導入室の下部の開口部よりホッパーへの緩やかな下降気流にしている。
（１）この上下気流の上下分配ラインの位置を導入室３に流入する含塵気流の吸気口の円周に沿って上下移動する構成によって、ろ過室内の気流の量が自在に積極的にコントロールできる。
（２）また複数のフィルタバグにほぼ均一な気流の量、ダストが分配されるので負荷の偏りがなく、安定したダストの回収が行われる。
（３）導入室３に前記気流分配板に加え複数の気流整流板を適宜分割配置しているので、含塵気流を緩やかなほぼ均一な上昇気流に変え、導入室を超えてろ過室のフィルタバグ列に送ることができる。そしてろ過室の風量を自在にコントロールしたおおよそ均一なダウンフローとすることができる。
ろ過室をダウンフローにすることにより、払い落とされたダストは再付着することなく、重力と相まってすみやかに落下・回収される。その結果、圧力損失の低下、処理風量の増大、フィルタ寿命の延長とバグフィルタの性能を格段に向上することができる。
（４）気流分配板の下側に下降分配板を配置して、両者間を抜ける下降気流を作ってダストをホッパーに回収しているため、下降気流の風量が自在に調整できるのでダストの回収効果が向上する。
またろ過室側に回流するアップフローをコントロールし、且つ全体的に緩やかに形成できるので、ホッパーにおける入口気流による回収ダストの再飛散を防止できる。従来例のホッパー入口を蔽っている透孔をもつ回収板を除去してホッパー上部を開口してダストを回収できる。
（５）導入室の流入通路に配置された複数の気流整流板の頂部は、導入室の上部開口部の端部から所定の距離離して一列配置することによってされ、気流整流板に沿って上昇する上昇気流を分散させることができ、ダスト磨耗を軽減し、フィルタバグの長寿を延命化できる効果がある。
（６）整流板の上端部を直角に曲げた舌状の板部を設けたので、ダストの拡散効果を更に上げることができる。
（７）ハウジング１の正面に吸気口を一実施例では、２個（複数）を設け、きめ細やかな含塵気流の拡散導入を図っているので、より均一な拡散上昇気流
をろ過室４に上昇回流できる。
【発明を実施するための最良の形態】
【０００８】
実施例１は、本発明の基本的な一つの実施例である。
実施例２は、実施例１の整流板の上側先端を一列に揃えた一つの実施例である。
実施例３は、整流板の上端を折り曲げた一つの実施例である。
実施例４は、変形例でマルチインレットの一つの実施例である。
実施例５は、変形例で吸気口が中央近傍から左にずれた一つの実施例である。
実施例６は、円筒垂下形のフィルタバグを用いた他の実施例である。
実施例７は、ハウジングの正面に吸気口が2個ある他の実施例である。
【実施例１】
【０００９】
以下に本発明の一実施例を図１,図２を用いて詳細に説明する。図１のA-A断面を説明するため図２を、図２のB-B断面を説明するため図１を用いている。
図１はハウジング１の断面を用いて説明するもので、図に示すように、バグハウジング１に正面中央付近に設けられた吸気口２から含塵気流３を導入するバグフィルタ装置に関し、バグハウジング１は、ダストをろ過するろ過室４と含塵気流の導入室５とから構成されている。
【００１０】
導入室５には上部にろ過室４にほぼ均一な含塵気流３の上昇気流６を送る上部開口部７とホッパー８への含塵気流３の下降気流１０を送る下部開口部１１がある。導入室５に隣接して設けられたろ過室４には、複数のフィルタバグ１２が4段に配置されている。ろ過室４の前にバッフルプレート１３があり、バグハウジング１のろ過室４と導入室５とを仕切っている。
吸気口２はこの例ではバッフルプレート１３の高さの下部約１／４の個所近傍に配置されている。吸気口２の位置は気流の分配、拡散、均一化などの課題からできるだけバッフルプレート１３の下部付近が好ましく、この数値に限定されるものではないことは自明である。
【００１１】
ろ過室４には、詳細には図２に示しているように複数の横型の封筒状（大きさはニーズによっていろいろあるが一例を示すと、縦640mm、横1640mm、幅30mm）のダスト捕集用のフィルタバグ１２が横一列に4段配置されている。
【００１２】
図２に示すように前記バッフルプレート１３の頂部は前記フィルタバグ列１２の約３／４程度の高さで、上部を開放してフィルタ１２の下段３列に渡ってカバーするように配置され、下端はホッパー８の開口部１１に達している。
【００１３】
導入室５に導入された含塵気流３の上昇気流６は、バッフルプレート１３に沿って導入室５の上部開口部７の空間に昇り、矢印で示すようにろ過室４に上昇回流しフィルタバグ１２の周囲のダウンフローとする。バッフルプレート１３の頂部から上の空間は導入室５の上部開口部７となる。
【００１４】
導入室５の下部開口部と連結されたホッパー８の入口頂部１１は開口されており、含塵気流３の下降気流２１が流入する。
【００１５】
導入室５内の上昇気流６と下降気流２１との割合を決めるため、吸気口の円周に沿った位置で上下分配ライン１４を設ける。すなわち、上下分配ライン１４を上下することによって円周を上下に比率に従って分割するイメージとなる。なお、吸気口２のセンターライン上で比率を決めても良い。
【００１６】
導入室５内の気流について、ろ過室４へ回る上昇気流が７５％を占め、下側のホッパー８に下降する気流１０が２５％を占めるようにするときは、吸気口２を８等分割して、上昇気流に上側の６分割分、残りの下側の２分割分が下降気流に割り当てられる。１６等分割したときは、上昇気流に上側の１２分割分、残りの下側の４分割分が下降気流に割り当てられる。比率を変えるときは導入室５の上下分配ライン１４は、ハッチングで示す領域の分割個所１６を移動させ上下分配ライン１４の位置を決める
【００１７】
約６３％（１０／１６分割）が上昇気流、３７％（６／１６分割）が下降気流になるように分配する場合には、上下分配ライン１４は、左右１分割分上にあがって符号１６Aで示す位置となる。
【００１８】
吸気口２を１０分割すると、上側から見て分割８／１０の位置に上下分配ライン１４の位置がくる。流入する含塵気流３の８０％（８／１０分割）が上昇気流、２０％（２／１０分割）が下降気流になるように分配できる。
【００１９】
吸気口２の面積比の割合をもとに上下分配ライン１４の位置を設定する。
この上下分配ライン１４の位置に、図に示すように上下気流分配版１５，１５を上下に気流を分けるように配置する。
【００２０】
従来であれば、自然の働きを利用して衝突拡散してエネルギーを失った比較的大きな粗粒子は下降気流とともにホッパーへ、塵・微粉（以下ダストという）を含んだ大半の空気を減速・上昇気流とせざるをえなく、バグフィルタ全体への均等な導入が難しい欠点があったが、この構成により従来ではなしえなかった気流の任意の分配とより均等な導入が可能となる。
このライン１４が上下することによって導入室５内の上昇気流と下降気流の割合を積極的に自在にコントロールできる。
【００２１】
このように上下分配ライン１４を上下移動して導入室５の風量の配分が自在に決められる。この配分がろ過室４のダウンフローとホッパー８へダストを回収する気流の割合を決める。  
【００２２】
図３を使って更に大きさに関し、詳細に一例で説明する。吸気口２の口径をDとするなら第１の気流分配板１５，１７の内寸法は約１．２（１．０〜１．５）Ｄ程度とし、（符号Ａ１で示す。）外寸法は１．３〜２．０D程度（（符号Ａ２で示す）。とする。
分配板１５の位置は上下分配ライン１４と交わる符号１６の位置にある。
【００２３】
気流分配板１７の位置は、上記した上下分配ライン１４の決定位置とセンター対称に上側で気流分配板１５と同様に吸気口２の口径付近に配置している。
【００２４】
第２の上下の気流分配板の配置１８，１９は１．５（１．３〜２．０）Ｄ程度（符号A３で示す）とする。吸気口２の中心に対して対称的に上下に配置されている。
【００２５】
第１の気流分配板１５，１７の内寸法１．２Ｄは、気流が衝突板に到達するまでに、気流が広がるために考慮する。吸気口２の口径Ｄに対する各比の数値は、アプリケーションのバランスを見て決める。
【００２６】
ほぼ均等な上昇気流と下降気流を作るため上昇気流用の気流分配板１７，１８と下降気流用の分配板１９を配置する。１０は、ハウジング１の壁に向ってくる気流を上昇気流に反転させる。気流分配板１８はダストの堆積を防ぐ断面三角形状で他の分配板と同様に導入室５に固着されている。２０−１，２０−２は整流板で、上昇気流６を上方に偏向させて勢いの分散性をよくしてほぼ均一な上昇気流とする。下端はそれぞれ略くの字状に折り曲げられている。
【００２７】
ここで作用を説明すると、吸気口２から流入する含塵気流３は導入室５内でバッフルプレート13に衝突拡散し運動エネルギーを失なう。その含塵気流３は、導入室5内で吸気口の１２／１６分割の位置に決められた上下分配ライン１４の位置にある上下分配板１５，１５によって上昇分７５％、下降分２５％に分配される。上昇分の７５％は左右に分かれて上昇する部分（気流分配板１５、１７間を流れる）と上側の気流分配板１７と三角状の気流分配板１８との間の間隙を通過する気流となって上昇する。
【００２８】
下降気流の２５％分は、上下分配ライン１４の位置にある上下分配板１５，１５と下降気流用の分配板１９との間の岐路を通過する気流部分２１がホッパー８の開口部１１からホッパー８に落下する。
【００２９】
上記のように吸気口に流入する含塵気流3の上昇分は上下分配ライン１４の位置にある上下分配板１５，１５によって区分され、上側の気流分配板１７，１8とハウジング１に取り付けられている舌状の分配板１０で含塵気流3は適宜配分・減速されて緩やかな上昇気流６となり、くの字状の整流板２０−１と直線整流板２０−２とに沿って上昇し、ほぼ均一な流れとなって図２に示すようにバッフルプレート１３の頂部、すなわち導入室５の開口部７を上昇回流してフィルタバグ１２の周囲のダウンフロー２２を形成すべくろ過室４に入る。
【００３０】
下側の気流分配板１９は、穏やかなおおよそ均一な下降気流２１を作り、比較的大きなダストを導入室５の下部開口部１１を介してホッパー８に下降回収する役目をする。ホッパー８の開口部１１は、バグハウジング１の下部と連結されている。緩やかなおおよそ均一な上昇気流６と下降気流２１とによりろ過室４の気流とは、適宜のバランスがとれた全体的におおよそ均一なダウンフロー２２となる。
【００３１】
この実施例では、上記したように上下分配板１５，１５の内寸法の大きさは吸気口２の直径Dの約１．０〜１．５倍で下降用の気流分配板１９に向う気流１０の４／１６の分割分の間隔を設けて配置している。下降用の気流分配板１９は、この下降気流１０を受け分散するに十分で適宜な大きさであればよく、この例ではほぼ上記４／１６分割分の間隔程度の大きさである。
【００３２】
上昇用の分配板１７は、吸気口２のセンター対照で分配板１５と同じ大きさである。三角状の分配板１8の大きさは、分配板１７，１７間を通過する上昇用気流を受け、整流板２０−１に沿って上昇分流６するに適当な大きさである。また上下分配板１７，１７、またと整流板２０−１との間は同様に上昇分流するに適当な大きさ（この例では分配板１５，１７の大きさ程度）である。上昇用の分配板１７と三角状の分配板１8との間隔、また上下分配板１５と下降気流用の分配板１９との間隔は上記説明から明らかに定まる。
整流板２０−１，２０−２は導入室５を略６分割して配置されている。
【００３３】
これらの数値は参考数値である。含塵気流の内容によっても変わるし、流体の条件、アプリケーションによって変わりうるのでこれに限定されるものではない。
【００３４】
バグハウジング１のろ過室４には、前記したように複数の封筒状の横型フィルタバグ列１２が4段配置されている。ろ過室４に入った含塵気流３は、バッフルプレート１３があるため、下3段のフィルタバグ１２には流入口からの含塵気流３の巻き込み流入がなく、おおよそ均一のダウンフローとなる。
【００３５】
圧縮空気の噴射（パルスジェット方式といい、気流を停めずにフィルタバグ１２にサイクリックに順次行う）によってフィルタバグ１２から払い落とされたダストは重力に加えてダウンフロー２２に乗り、再付着せずすみやかに下方のホッパー７に落下してゆく。
フィルタバグ１２でろ過された清浄な空気は清浄室２３を介し排気口２４を通ってバグハウジング１の外に排気される。
【００３６】
図１に示すように前記導入室５に配置された前記上昇気流用の分配板１７，１８と整流板２０とにより導入室５の開口部７からろ過室４へほぼ均一とした気流が上昇回流するようにしたので、上昇気流６の勢いの分散性をよくして、ダストが不必要な勢いで集中してフィルタバグ１２に当たらないようできる。
【実施例２】
【００３７】
図４に示すのは他の実施例で、整流板２０−１，２０−２の上部先端位置を揃え、上昇気流６を導入室５の開口部７からろ過室４へ上昇回流させているので、ろ過室４への上昇気流６の勢いの分散性がよりよく改善され、ダストが不必要な勢いで集中してフィルタバグ１２に当たらないようできる。
【実施例３】
【００３８】
図５に示すのは前記整流板の他の実施例で、導入室５の上部に上昇気流をさらに拡散する拡散板部を設けている。整流板４０−１，４０−２は垂直な中央部の上端４１は直角に曲げたれた拡散板を備えており、下端は略くの字状に折り曲げられている。ハウジング１に取り付けられた拡散板４２は、これら整流板４０−１，４０−２の上端４１の水平の板と同じ位置に取り付けられた水平の板である。
これら形状により、分配板１５−１７間、分配板１７−１８間で分配される上昇気流６−２〜６−４は整流板４０−１、４０−２の拡散板部４１によってより拡散された気流５２〜５５となる。
ハウジング１に取り付けられた分配板４２によって上昇気流６−１と６−５も同様に拡散された気流６０−１と６０−６となる。これら拡散された気流が５１〜５６となって開口部７を介してろ過室4に上昇回流する。
この実施例で説明したように導入室５の上部に上昇気流６−１〜６−５をより幅広に拡散させる拡散板機能部を配置しているためより拡散した上昇気流を作り、導入室５の開口部７からろ過室４へ上昇回流させているので、ろ過室４への上昇気流６の勢いの分散性がより改善され、ダストが不必要な勢いで集中してフィルタバグ１２に当たらないようできる。
【実施例４】
【００３９】
図６に示すのは他の実施例で、分配板を吸気口の中心から放射状に案内板で結合したマルチインレットの変形例である。上記した実施例は分配板１５−１５，１７−７，１８―１９同士間をオープンにして結合していなかったが、この実施例では、吸気口２の中心から案内板２５、２７で全ての分配板１５，１７，１８，１９を結合している。１５−２５−吸気口センター−２５−１５、１７−２５−吸気口センター−２５−１７、１８−２７−吸気口センター−２７−１９というように入口を細分化している。
図１の実施例では、水平の分配板２６が配置されていなかったが、この例では、マルチインレットということで追加して設けている。
このように、分配板１５，１７，１８，１９を案内板２５，２７で結合することで、導入室５に含塵気流３が入るときに分配されて流入し、かつ分配板で効果的に略均一な分配上昇気流となってろ過室４に回流する。
【００４０】
分配ライン１４の考え方は、上記実施例と同じである。案内板２５、２７は全ての分配板１５，１５，１７，１７，１８、１９、を結合する必要は無く、分配板１５同士のみを案内板２５結合するとか、上側の分配板１８と分配板１７同士のみを案内板２５、２７で結合するとか、下側の分配板１５と分配板１９同士のみを案内板２５、２７で結合するとかまた分配板１８と分配板１７同士のみを案内板２７で結合するとか、いろいろなマルチ結合パターンが必要に応じて考えられる。この実施例に限定されるものではないことは言うまでもない。
この例でも整流板２０−１，２０−２の上部先端位置を揃えるようにしてもよい。
【実施例５】
【００４１】
他の実施例として、吸気口が中央から左または右に寄った例を説明する。図７に示すように吸気口２が中央から左に寄っている。上下分配ライン１４の考え方は上記の実施例と同じである。
この分配ライン１４に沿って設けられた上下分配板１５，１５が配置されている。下降気流用の分配板１９が、上下分配板１５，１５の下側に設けられている。
【００４２】
ハウジング１に取り付けられている舌状の分配板１０はハウジング１の壁に向ってくる気流３３−１、３３−６を上昇気流３３−２，３３−８に反転させる（図7参照）。
１６分割された吸気口２の上側部分（１２／１６、すなわち７５％）の上昇分は、上下分配板と案内板２２５で構成される１５−２５−２５−１５の仕切りで切り分けられる。３０−１〜３０−４が上記実施例と同様に整流板で上昇気流３３−１〜３３−８をほぼ均一な上昇流としてろ過室４に回流してゆく。
【００４３】
下降気流分は吸気口２の、２５％すなわち上下分配ライン１４の下側の４／１６分割（斜線部分に相当）の部分（上記１５−２５−２５−１５の仕切りの下側）に流入する。
吸気口２が導入室５の中央から左に寄っているため、上記１５−２５−２５−１５の仕切りに対し案内板２７―分配板１９で構成される下降気流の仕切りは、
４分割のうち１分割分だけ左により、残り３分割分が右側となる。空間的に１：３の関係でここでは説明している。
【００４４】
１／４の下降気流３４−１が案内板２７の左側に、そして３／４の下降気流は３４−２〜３４−４となって入り口１１を介してにホッパー８に下降してゆく。
図８の鎖線の輪の流れで示すように分配板１５−分配板１０−ハウジング１の壁と整流板３０−１の間を流れる上昇気流３３−１，３３−２、整流板３０−１と３０−２の間を流れる上昇気流３３−３、整流板３０−２、３０−３と３０−５の間を流れる上昇気流３３−４、３３−７および整流板３０−５、３０−４と案内板２５−分配板１５の間を流れる上昇気流３３−５、３３−６、３３−８が略記に作られる。この例でも上記の実施例のように整流板３０−１，３０−３、３０―４の上部先端位置を揃えるようにしてもよい。
【００４５】
このように、整流板の形状を変えるだけで、ハウジング１の必ずしも中央付近に吸気口２を設けなくても良く、構造上どうしても吸気口２を左右にずらさないといけないという制約があっても、自在な吸気口のレイアウトが可能になる。
【実施例６】
【００４６】
上記一実施例ではフィルタバグ１２として、横挿入形の封筒タイプについて説明したが、他の実施例として図９に示すように、横型に代えて円筒垂下形のフィルタバグ２８（図１と同様に図の横方向に、即ちバッフルプレート１３に沿って複数のフィルタバグが配置された立体構造となっている。）に適用してもこの発明思想は損なわれるものではない。図中の同符号は上記一実施例と同じ構成を示す。
【実施例７】
【００４７】
上記一実施例では、吸気口２が1個の場合を説明したが、図１０に示すように2個（以上）を設けてもよい。
整流板５０−２，５０−２はハウジング１の壁と中央整流板５０−３の間でそれぞれ吸気口２−１および吸気口２−２の上方に位置し、上昇気流６をほぼ均一にする。ハウジング中央の整流板５０−３に対称的に配置された吸気口２−１，２−２に、上記一実施例と同じ考えで、上下分配板１５，１５、分配板１７，１８、１９および分配板１０が配置されている。５０−４は中央整流板の下端にもうけられた上昇気流をもたらす三角片の整流板である。図中の同符号は上記一実施例と同じ構成を示す。
【００４８】
このようにこの一実施例では吸気口を例えば２個設けている。集塵個所、ダストの都合上複数個の吸気口が必要な場合にも同様に対応でき、より均一な拡散上昇気流をろ過室４に上昇回流を図ることができる。
【００４９】
上記一実施例は、バッフルプレート１３を導入室５に配置し、ろ過室４との仕切り、また気流分配板１５、１７、１８、１９、整流板２０の取り付けに利用しているが、導入室５の壁部分を利用して同様の機能をさせてもよいことは明らかである。
【００５０】
また上記実施例では、吸気口が円筒である例で説明したが、方形であっても本発明思想が適用できる。
【００５１】
上記実施例では、吸気口がハウジング中央にある例で説明したが、左右にずれても本発明思想が適用できる。
【図面の簡単な説明】
【００５２】
【図１】本発明の実施例のフィルタバグ装置の説明のための要部断面部を含む正面図
【図２】本発明の実施例のフィルタバグ装置の説明のための要部断面部を含む側面図
【図３】は分配板、整流板の構成を詳細に説明する図
【図４】は整流板の先端を揃えた他の実施例を示す図
【図５】は導入室の上部に上昇気流を拡散させる分配板を備えた他の実施例を示す図
【図６】は他の実施例として吸気口がマルチインレットの例を示す図。
【図７】は他の実施例として吸気口が中央からずれた例を示す図。
【図８】は図７の気流の流れを説明する図。
【図９】はフィルタバグの他の実施例として円筒形のものを用いた例を示す側面図。
【図１０】はハウジング１の正面に吸気口が2個ある他の実施例を示す図。
【符号の説明】
【００５３】
１・・・バグハウジング
２・・・吸気口
３・・・含塵気流
４・・・ろ過室
５・・・導入室
６・・・上昇気流
７・・・開口部
８・・・ホッパー
１０・・・分配板
１２・・・フィルタバグ(列)
１３・・・バッフルプレート
１４・・・上下分配ライン
１５・・・上下分配板
１７、１８・・・上昇気流用の分配板
１９・・・下降気流用の分配板
２０・・・整流板
２１・・・下降気流
２２・・・ダウンフロー
２５、２７、３１・・・案内板
２６・・・水平分配板
２８・・・円筒形フィルタバグ
３０・・・整流板
３３・・・上昇気流
３４・・・下降気流
４０・・・整流板
４１・・・導入室上部に配置された拡散板
４２・・・拡散板
５０・・・整流板
５１〜５６・・・拡散された
６０・・・拡散された気流
【図１】
2005169173.tif 000003
【図２】
2005169173.tif 000004
【図３】
2005169173.tif 000005
【図４】
2005169173.tif 000006
【図５】
2005169173.tif 000007
【図６】
2005169173.tif 000008
【図７】
2005169173.tif 000009
【図８】
2005169173.tif 000010
【図９】
2005169173.tif 000011
【図１０】
2005169173.tif 000012
【手続補正書】
【提出日】平成15年12月12日(2003.12.12)
【手続補正１】
【補正対象書類名】明細書
【補正対象項目名】０００７
【補正方法】変更
【補正の内容】
【０００７】
また複数の上昇気流分配板を適宜に流れに沿って分割配置することによって含塵気流を緩やかなほぼ均一な上昇気流およびまたは下降気流に変え、導入室の開口部を超えてろ過室に上昇回流させフィルタバグ列の周囲をダウンフローとさせている。また導入室の下部の開口部よりホッパーへの緩やかな下降気流にしている。
（１）この上下気流の上下分配ラインの位置を導入室５に流入する含塵気流の吸気口の円周に沿って上下移動する構成によって、ろ過室内の気流の量が自在に積極的にコントロールできる。
（２）また複数のフィルタバグにほぼ均一な気流の量、ダストが分配されるので負荷の偏りがなく、安定したダストの回収が行われる。
（３）導入室５に前記気流分配板に加え複数の気流整流板を適宜分割配置しているので、含塵気流を緩やかなほぼ均一な上昇気流に変え、導入室を超えてろ過室のフィルタバグ列に送ることができる。そしてろ過室の風量を自在にコントロールしたおおよそ均一なダウンフローとすることができる。
ろ過室をダウンフローにすることにより、払い落とされたダストは再付着することなく、重力と相まってすみやかに落下・回収される。その結果、圧力損失の低下、処理風量の増大、フィルタ寿命の延長とバグフィルタの性能を格段に向上することができる。
（４）気流分配板の下側に下降分配板を配置して、両者間を抜ける下降気流を作ってダストをホッパーに回収しているため、下降気流の風量が自在に調整できるのでダストの回収効果が向上する。
またろ過室側に回流するアップフローをコントロールし、且つ全体的に緩やかに形成できるので、ホッパーにおける入口気流による回収ダストの再飛散を防止できる。従来例のホッパー入口を蔽っている透孔をもつ回収板を除去してホッパー上部を開口してダストを回収できる。
（５）導入室の流入通路に配置された複数の気流整流板の頂部は、導入室の上部開口部の端部から所定の距離離して一列配置することによってされ、気流整流板に沿って上昇する上昇気流を分散させることができ、ダスト磨耗を軽減し、フィルタバグの長寿を延命化できる効果がある。
（６）整流板の上端部を直角に曲げた舌状の板部を設けたので、ダストの拡散効果を更に上げることができる。
（７）ハウジング１の正面に吸気口を一実施例では、２個（複数）を設け、きめ細やかな含塵気流の拡散導入を図っているので、より均一な拡散上昇気流をろ過室４に上昇回流できる。
【手続補正２】
【補正対象書類名】明細書
【補正対象項目名】００３１
【補正方法】変更
【補正の内容】
【００３１】
この実施例では、上記したように上下分配板１５，１５の内寸法の大きさは吸気口２の直径Dの約１．０〜１．５倍で下降用の気流分配板１９に向う気流１０の４／１６の分割分の間隔を設けて配置している。下降用の気流分配板１９は、この下降気流２１を受け分散するに十分で適宜な大きさであればよく、この例ではほぼ上記４／１６分割分の間隔程度の大きさである。
【手続補正３】
【補正対象書類名】明細書
【補正対象項目名】００３９
【補正方法】変更
【補正の内容】
【００３９】
図６に示すのは他の実施例で、分配板を吸気口の中心から放射状に案内板で結合したマルチインレットの変形例である。上記した実施例は分配板１５−１５，１７−１７，１８―１９同士間をオープンにして結合していなかったが、この実施例では、吸気口２の中心から案内板２５、２７で全ての分配板１５，１７，１８，１９を結合している。１５−２５−吸気口センター−２５−１５、１７−２５−吸気口センター−２５−１７、１８−２７−吸気口センター−２７−１９というように入口を細分化している。
図１の実施例では、水平の分配板２６が配置されていなかったが、この例では、マルチインレットということで追加して設けている。
このように、分配板１５，１７，１８，１９を案内板２５，２７で結合することで、導入室５に含塵気流３が入るときに分配されて流入し、かつ分配板で効果的に略均一な分配上昇気流となってろ過室４に回流する。
【手続補正４】
【補正対象書類名】明細書
【補正対象項目名】００４２
【補正方法】変更
【補正の内容】
【００４２】
ハウジング１に取り付けられている舌状の分配板１０はハウジング１の壁に向ってくる気流３３−１、３３−６を上昇気流３３−２，３３−８に反転させる（図7参照）。
１６分割された吸気口２の上側部分（１２／１６、すなわち７５％）の上昇分は、上下分配板と案内板２５で構成される１５−２５−２５−１５の仕切りで切り分けられる。３０−１〜３０−４が上記実施例と同様に整流板で上昇気流３３−１〜３３−８をほぼ均一な上昇流としてろ過室４に回流してゆく。
【手続補正５】
【補正対象書類名】明細書
【補正対象項目名】００５３
【補正方法】変更
【補正の内容】
【００５３】
１・・・バグハウジング
２・・・吸気口
３・・・含塵気流
４・・・ろ過室
５・・・導入室
６・・・上昇気流
７・・・開口部
８・・・ホッパー
１０・・・分配板
１２・・・フィルタバグ(列)
１３・・・バッフルプレート
１４・・・上下分配ライン
１５・・・上下分配板
１７、１８・・・上昇気流用の分配板
１９・・・下降気流用の分配板
２０・・・整流板
２１・・・下降気流
２２・・・ダウンフロー
２５、２７、３１・・・案内板
２６・・・水平分配板
２８・・・円筒形フィルタバグ
３０・・・整流板
３３・・・上昇気流
３４・・・下降気流
４０・・・整流板
４１・・・導入室上部に配置された拡散板
４２・・・拡散板
５０・・・整流板
５１〜５６・・・拡散された気流
６０・・・拡散された気流
【手続補正６】
【補正対象書類名】図面
【補正対象項目名】図２
【補正方法】変更
【補正の内容】
【図２】
2005169173.tif 000013
【手続補正７】
【補正対象書類名】図面
【補正対象項目名】図５
【補正方法】変更
【補正の内容】
【図５】
2005169173.tif 000014
【手続補正８】
【補正対象書類名】図面
【補正対象項目名】図１０
【補正方法】変更
【補正の内容】
【図１０】
2005169173.tif 000015